(57)【要約】【課題】足場板として使用する２枚の補助足場板を兆番により折り畳み可能に連結し、一方の補助足場板を直角になるように開き、直角に開いた一方の補助足場板を他方の補助足場板の巾木とすることにより、巾木の設置に手間をかけず、安定に取り付けることができる建築作業用補助足場板を提供する【解決手段】足場枠と足場板とからなる足場セットを建物の周囲に複数並べて構成される建築作業用足場において、足場板として使用する２枚の補助足場板を兆番により折り畳み可能に連結するとともに、連結した２枚の補助足場板を直角になるように開き、直角に開いた一方の補助足場板を他方の補助足場板の巾木としたことを特徴とする。【選択図】図２
0003152888.tif 000002
【実用新案登録請求の範囲】
【請求項１】
足場枠と足場板とからなる足場セットを建物の周囲に複数並べて構成される建築作業用足場において、前記足場板として使用する２枚の補助足場板を兆番により折り畳み可能に連結することを特徴とする建築作業用補助足場板。
【請求項２】
兆番により折り畳み可能に連結した前記２枚の補助足場板を直角になるように開き、直角に開いた一方の補助足場板を他方の補助足場板の巾木としたことを特徴とする請求項１記載の建築作業用補助足場板。
【請求項３】
兆番により折り畳み可能に連結した前記２枚の補助足場板のうち巾木となる一方の補助足場板の連結する側のフックを取り外したことを特徴とする請求項１記載の建築作業用補助足場板。
【考案の詳細な説明】
【技術分野】
【０００１】
本考案は、土木、建築現場等で高所作業を行うときに使用する建築作業用足場に係り、詳しくは巾木を連結した建築作業用補助足場板に関するものである。
【背景技術】
【０００２】
従来、土木、建築現場等の高所作業を行うときは安全性や施工品質を維持するために足場工事が必要となる。足場工事の大部分を占める仮設足場は、左右の支柱間に桟材が複数段に横架された脚柱が、横架材の両端にヒンジ結合部を介して連結され、対向する脚柱間に足場板を取り付けて仮設足場を組み立て、この仮設足場を複数建物の周囲に設置して建築作業用足場として使用している（特許文献１）。
【先行技術文献】
【特許文献】
【０００３】
【特許文献１】特開平１１−２８０２５０号公報
【考案の概要】
【考案が解決しようとする課題】
【０００４】
しかしながら、この足場板から作業工具等が落下して地上の作業員や通行人に危害が及ぶ虞があるので、安全面で巾木が必要となり、通常は巾木として使用する足場板を番線等で縛り付けていたため、巾木の設置に非常に手間がかかり、取り付けも不安定であった。
【０００５】
本考案は上記のような問題点に鑑みてなされたもので、足場板として使用する２枚の補助足場板を兆番により折り畳み可能に連結し、一方の補助足場板を直角になるように開き、直角に開いた一方の補助足場板を他方の補助足場板の巾木とすることにより、巾木の設置に手間をかけず、安定に取り付けることができる建築作業用補助足場板を提供することを目的とする。
【課題を解決するための手段】
【０００６】
上記目的を達成するため、請求項１の建築作業用補助足場板は、足場枠と足場板とからなる足場セットを建物の周囲に複数並べて構成される建築作業用足場において、足場板として使用する２枚の補助足場板を兆番により折り畳み可能に連結することを特徴とするものである。
【０００７】
また、請求項２の建築作業用補助足場板は、請求項１記載の建築作業用補助足場板であって、兆番により折り畳み可能に連結した２枚の補助足場板を直角になるように開き、直角に開いた一方の補助足場板を他方の補助足場板の巾木としたことを特徴とするものである。
【０００８】
また、請求項３の建築作業用補助足場板は、請求項１記載の建築作業用補助足場板であって、兆番により折り畳み可能に連結した２枚の補助足場板のうち巾木となる一方の補助足場板の連結する側のフックを取り外したことを特徴とするものである。
【考案の効果】
【０００９】
本考案の建築作業用補助足場板によれば、足場板として使用する２枚の補助足場板を兆番により折り畳み可能に連結することにより、巾木と足場板を一体にすることができ、また内側に折り畳むことができるので持ち運びに便利である。
【００１０】
また、兆番により折り畳み可能に連結した２枚の補助足場板を直角になるように開き、直角に開いた一方の補助足場板を他方の補助足場板の巾木としたことにより、巾木の設置に手間をかけず、安定に取り付けることができる。
【００１１】
さらに、兆番により折り畳み可能に連結した２枚の補助足場板のうち巾木となる一方の補助足場板の連結する側のフックを取り外したことにより、巾木の設置に手間をかけず、安定に取り付けることができる。
【図面の簡単な説明】
【００１２】
【図１】本考案による建築作業用補助足場板の一実施例を示す斜視図である。
【図２】同上の建築作業用補助足場板を建築作業用足場に使用した説明図である。
【図３】建築作業用足場の説明図である。
【考案を実施するための形態】
【実施例】
【００１３】
以下、本考案の実施例について図面を参照して説明する。建築作業用足場は、図３に示すように、足場枠１０と足場板２０とからなる足場セット１を上下に複数段組み合わせて、この足場セット１を建物の周囲に複数並べて構成される。
【００１４】
足場枠１０は、左右一対の脚柱１１、１２と左右の脚柱を連結する横架材１３とからなる。左の脚柱１１は、前後方向の水平材１１１で連結された前後の支柱１１２、１１３からなり、右の脚柱１２は、前後方向の水平材１２１で連結された前後の支柱１２２、１２３からなり、さらに、前の支柱１１２、１２２は、筋違い柱１４で連結され、後の支柱１１３、１２３は、筋違い柱１５で連結されている。
【００１５】
足場板２０は、幅５００ｍｍ、長さ１８００ｍｍの鋼製材で、左の脚柱１１を構成する前後の支柱１１２、１１３を連結する水平材１１１に引っ掛けるフック２１、２２と、右の脚柱１２を構成する前後の支柱１２２、１２３を連結する水平材１２１に引っ掛けるフック２３、２４を４隅に備えている。
【００１６】
足場板２０が引っ掛けられる水平材１１１、１２１の長さは９００ｍｍであるので、足場板２０を水平材１１１、１２１に引っ掛けたとき４００ｍｍの隙間ができる。この隙間から作業工具等が落下する虞があるので、メッシュシートで作業用足場の周囲を覆い通行人に危害が及ばないように防いでいる。ところが、作業用足場の建物側は作業がし易いように開放されているため、そこから作業工具等が落下して建物側直下の作業員に当って負傷したり、作業員自身が足を踏み外すことがあるため、安全面で巾木が必要となる。
【００１７】
本考案の巾木を連結した足場板は、図１（ａ）に示すように、幅２４０ｍｍ、長さ１８００ｍｍの補助足場板３０であって、足場枠１０の脚柱１１、１２を構成する前後の支柱を連結する水平材１１１、１２１に引っ掛けるフック３１、３２、３３、３４を４隅に備えている。
【００１８】
この補助足場板３０を２枚並べ、兆番３５、３６により折り畳み可能に連結する。兆番３５、３６により折り畳み可能に連結した２枚の補助足場板３０を、図１（ｂ）に示すように、直角になるように開き、直角に開いた一方の補助足場板３０１を、他方の補助足場板３０２の巾木として使用する。
【００１９】
なお、連結した２枚の補助足場板のうち巾木として用いる一方の補助足場板３０１のフックのうち、連結する側のフック３２、３４を取り外す。
【００２０】
次に、以上のように構成した補助足場板３０を使用した建築作業用足場の実施例について、図２、図３を用いて説明する。
【００２１】
前述したように、左右一対の脚柱１１、１２と左右の脚柱を連結する横架材１３とから構成される足場枠１０は、前後方向の水平材１１１で連結された前後の支柱１１２、１１３からなる左の脚柱１１と、前後方向の水平材１２１で連結された前後の支柱１２２、１２３からなる右の脚柱１２と、前の支柱１１２、１２２を連結する筋違い柱１４と、後の支柱１１３、１２３を連結する筋違い柱１５とにより組み合わされている。その足場枠１０の脚柱１１、１２を構成する前後の支柱を連結する水平材１１１、１２１に足場板２０のフック２１〜２４を引っ掛けて作業用足場とする（図３）。
【００２２】
さらに、足場板２０の隣に、兆番３５、３６により折り畳み可能に連結した２枚の補助足場板３０を、巾木となる一方の補助足場板３０１を上にして２つに折り畳んで足場板２０に並べ、下になった他方の補助足場板３０２のフック３１〜３４を水平材１１１、１２１に引っ掛ける（図２（ａ））。
【００２３】
次に、上になった一方の補助足場板３０１を直角になるまで開き、残った２個のフック３１、３３を、足場枠１０の脚柱１１、１２を構成する前の支柱１１２、１２２に引っ掛けて固定し、他方の補助足場板３０２の巾木とする（図２（ｂ））。
【００２４】
巾木を取り外すときは、フック３１、３３を前の支柱１１２、１２２から外し、他方の補助足場板３０２の上に折り畳むだけでよい。
【００２５】
以上説明したように、本考案の建築作業用補助足場板によれば、足場板として使用する２枚の補助足場板を兆番により折り畳み可能に連結することにより、巾木と足場板を一体にすることができ、内側に折り畳むことができるので持ち運びに便利となった。
【００２６】
また、兆番により折り畳み可能に連結した２枚の補助足場板を直角になるように開き、直角に開いた一方の補助足場板を他方の補助足場板の巾木としたことにより、巾木の設置に手間をかけず、安定に取り付けることが可能となった。
【００２７】
しかも、足場板２０と補助足場板３０を並べて作業用足場としたので、４００ｍｍの隙間が１６０ｍｍの隙間になり、その間隙から作業工具等が落下する虞はなくなり、巾木によって作業員自身が足を踏み外すこともなくなった。
【符号の説明】
【００２８】
１  足場セット
１０  足場枠
２０  足場板
３０  補助足場板
３０１  一方の補助足場板
３０２  他方の補助足場板
３１、３２、３３、３４  補助足場板のフック
３５、３６  兆番
【図１】
0003152888.tif 000003
【図２】
0003152888.tif 000004
【図３】
0003152888.tif 000005
【手続補正書】
【提出日】平成21年6月15日(2009.6.15)
【手続補正１】
【補正対象書類名】実用新案登録請求の範囲
【補正対象項目名】全文
【補正方法】変更
【補正の内容】
【実用新案登録請求の範囲】
【請求項１】
足場枠と足場板とからなる足場セットを建物の周囲に複数並べて構成される建築作業用足場において、前記足場板として使用する補助足場板の４隅にフックを備え、２枚の補助足場板を兆番により折り畳み可能に連結することを特徴とする建築作業用補助足場板。
【請求項２】
４隅にフックを備え、兆番により折り畳み可能に連結した前記２枚の補助足場板を直角になるように開き、直角に開いた一方の補助足場板を他方の補助足場板の巾木としたことを特徴とする請求項１記載の建築作業用補助足場板。
【請求項３】
４隅にフックを備え、兆番により折り畳み可能に連結した前記２枚の補助足場板のうち巾木となる一方の補助足場板の連結する側のフックを取り外したことを特徴とする請求項２記載の建築作業用補助足場板。
【手続補正２】
【補正対象書類名】明細書
【補正対象項目名】０００６
【補正方法】変更
【補正の内容】
【０００６】
上記目的を達成するため、請求項１の建築作業用補助足場板は、足場枠と足場板とからなる足場セットを建物の周囲に複数並べて構成される建築作業用足場において、足場板として使用する補助足場板の４隅にフックを備え、２枚の補助足場板を兆番により折り畳み可能に連結することを特徴とするものである。
【手続補正３】
【補正対象書類名】明細書
【補正対象項目名】０００７
【補正方法】変更
【補正の内容】
【０００７】
また、請求項２の建築作業用補助足場板は、請求項１記載の建築作業用補助足場板であって、４隅にフックを備え、兆番により折り畳み可能に連結した２枚の補助足場板を直角になるように開き、直角に開いた一方の補助足場板を他方の補助足場板の巾木としたことを特徴とするものである。
【手続補正４】
【補正対象書類名】明細書
【補正対象項目名】０００８
【補正方法】変更
【補正の内容】
【０００８】
また、請求項３の建築作業用補助足場板は、請求項２記載の建築作業用補助足場板であって、４隅にフックを備え、兆番により折り畳み可能に連結した２枚の補助足場板のうち巾木となる一方の補助足場板の連結する側のフックを取り外したことを特徴とするものである。
【手続補正５】
【補正対象書類名】明細書
【補正対象項目名】０００９
【補正方法】変更
【補正の内容】
【０００９】
本考案の建築作業用補助足場板によれば、足場板として使用する補助足場板の４隅にフックを備え、２枚の補助足場板を兆番により折り畳み可能に連結することにより、巾木と足場板を一体にすることができ、また内側に折り畳むことができるので持ち運びに便利である。
【手続補正６】
【補正対象書類名】明細書
【補正対象項目名】００１０
【補正方法】変更
【補正の内容】
【００１０】
また、４隅にフックを備え、兆番により折り畳み可能に連結した２枚の補助足場板を直角になるように開き、直角に開いた一方の補助足場板を他方の補助足場板の巾木としたことにより、巾木の設置に手間をかけず、安定に取り付けることができる。
【手続補正７】
【補正対象書類名】明細書
【補正対象項目名】００１１
【補正方法】変更
【補正の内容】
【００１１】
さらに、４隅にフックを備え、兆番により折り畳み可能に連結した２枚の補助足場板のうち巾木となる一方の補助足場板の連結する側のフックを取り外したことにより、巾木の設置に手間をかけず、安定に取り付けることができる。